(57)【要約】【課題】  ほこり等の異物の侵入を良好に防ぐとともに、静電気による破損を低減することができるＵＳＢコネクタを提供する。【解決手段】  ＵＳＢコネクタ１０にＵＳＢプラグ４００を差し込むと、ＵＳＢプラグ４００のオスコネクタ４１０が、ＵＳＢコネクタ１０のシャッタ機構３００の下シャッタ３１０，上シャッタ３２０を押し開く。すると、回動軸３１２，３２２が回動し、更には、回動腕３１４，３２４が、付勢バネ３１６，３２６によるバネ力に抗して回動する。ＵＳＢプラグ４００を抜くと、オスコネクタ４１０側の接点と、メスコネクタ１００の端子１４０の接点との接触が断たれるとともに、付勢バネ３１６，３２６によるバネ力により回動腕３１４，３２４が元の状態に復帰しようとし、下シャッタ３１０，上シャッタ３２０が閉じる。【選択図】図１
2020035532.tif 000002
【特許請求の範囲】
【請求項１】
ハウジング内部に端子が設けられており、この端子の接点に、差込口から差し込まれたＵＳＢプラグの端子の接点が電気的に接続するＵＳＢコネクタであって、
前記ＵＳＢプラグの差込口に、観音開きするシャッタを備えたシャッタ機構を設けたことを特徴とするＵＳＢコネクタ。
【請求項２】
前記シャッタと前記ハウジングとの間に、前記シャッタが閉じた状態となるように付勢するバネ手段が設けられており、前記ＵＳＢプラグは、前記バネ手段の付勢力に抗して前記シャッタを開いて、前記差込口に差し込まれることを特徴とする請求項１記載のＵＳＢコネクタ。
【請求項３】
前記シャッタに導電性を付与したことを特徴とする請求項１又は２記載のＵＳＢコネクタ。
【請求項４】
前記開いたシャッタが、前記差込口から差し込まれたＵＳＢプラグのガイドとして機能することを特徴とする請求項１〜３のいずれか一項に記載のＵＳＢコネクタ。
【発明の詳細な説明】
【技術分野】
【０００１】
本発明は、ＵＳＢ（Universal Serial Bus）コネクタに関し、特にオスコネクタとメスコネクタの接続についての改良に関するものである。
【背景技術】
【０００２】
ＵＳＢコネクタは、広く普及しており、各種の構造のものが知られている。例えば、下記特許文献１には、振動がある場合や、外力が働く場合であってもジャックとプラグが緩んで抜けることなく、また必要に応じて係止解除を容易に行うことができ、しかも嵌合性に優れることを目的としたＵＳＢコネクタが開示されている。下記特許文献２には、振動や外力が作用しても、プラグとレセプタクルが緩んで抜けることがなく、かつプラグとレセプタクルとの係合及び解除を容易に行えるようにして操作性に優れることを目的としたロック機構付ＵＳＢコネクタが開示されている。
【先行技術文献】
【特許文献】
【０００３】
【特許文献１】特開2003-243093号公報
【特許文献２】特開2004-87462号公報
【発明の概要】
【発明が解決しようとする課題】
【０００４】
ところで、従来のＵＳＢコネクタは、オスコネクタが差し込まれるメスコネクタの入り口からほこりなどが入り込む恐れがあり、接触不良などの原因となる。また、オスコネクタが摩擦などで静電気が帯電していると、これがメスコネクタを通じて回路に流れ、電子部品が損傷する恐れもある。
【０００５】
本発明は、以上のような点に着目したもので、ほこり等の異物の侵入を良好に防いでオスコネクタとメスコネクタの接続を良好に行うとともに、静電気による回路部品などの破損を低減することができるＵＳＢコネクタを提供することを、その目的とする。
【課題を解決するための手段】
【０００６】
本発明は、ハウジング内部に端子が設けられており、この端子の接点に、差込口から差し込まれたＵＳＢプラグの端子の接点が電気的に接続するＵＳＢコネクタであって、前記ＵＳＢプラグの差込口に、観音開きするシャッタを備えたシャッタ機構を設けたことを特徴とする。主要な形態の一つによれば、前記シャッタと前記ハウジングとの間に、前記シャッタが閉じた状態となるように付勢するバネ手段が設けられており、前記ＵＳＢプラグは、前記バネ手段の付勢力に抗して前記シャッタを開いて、前記差込口に差し込まれることを特徴とする。他の形態によれば、前記シャッタに導電性を付与したことを特徴とする。更に他の形態によれば、前記開いたシャッタが、前記差込口から差し込まれたＵＳＢプラグのガイドとして機能することを特徴とする。本発明の前記及び他の目的，特徴，利点は、以下の詳細な説明及び添付図面から明瞭になろう。
【発明の効果】
【０００７】
本発明によれば、観音開きするシャッタを設けることとしたので、ほこりなどの異物の侵入を良好に防ぐことができ、前記シャッタを導電性とすることで、静電気による破損を低減することができる。
【図面の簡単な説明】
【０００８】
【図１】本発明の実施例のＵＳＢコネクタのシャッタが閉じた状態を示す図である。
【図２】前記実施例のＵＳＢコネクタに内挿されるメスコネクタを示す図である。
【図３】前記実施例のＵＳＢコネクタのシャッタが開いた状態を示す図である。
【図４】前記実施例のＵＳＢコネクタにＵＳＢプラグを差し込んだ状態を示す図である。
【発明を実施するための形態】
【０００９】
以下、本発明を実施するための最良の形態を、実施例に基づいて詳細に説明する。
【実施例１】
【００１０】
図１には、本実施例にかかるＵＳＢコネクタ（メスコネクタ）が示されている。同図(A)は斜視図であり、同図(B)は同図(A)の＃１−＃１線に沿って矢印方向に見た断面図である。これらの図において、ＵＳＢコネクタ１０は、ハウジング本体１２の背面側には外ハウジング１４が、正面側にはフレーム１６がそれぞれ設けられており、内部にメスコネクタ１００が設けられた構成となっている。
【００１１】
これらのうち、ハウジング本体１２は、正面側に開口を有する箱形状となっており、箱の底面と側面を覆うように、略コ字状の外ハウジング１４が凹凸の嵌合によって取り付けられている。また、ハウジング本体１２の開口側には、その周囲を覆うフレーム１６が凹凸の嵌合によって取り付けられている。このフレーム１６に覆われた開口が、後述するＵＳＢプラグの差込口となっている。
【００１２】
次に、ハウジング本体１２の内部に設けられるメスコネクタ１００は、図２(A)に示すように、筒形状のシェル１１０を中心に構成されており、シェル１１０の正面側開口１１２の上下面や側面には、爪１２０〜１２８等が設けられている。これらによるバネ作用によって、ＵＳＢプラグを挟み込んで保持するようになっている。また、シェル１１０の下面側には、係止片１３０，１３２等が設けられており、これらによってシェル１１０が上述したハウジング本体１２に係止されている。
【００１３】
更に、シェル１１０の内部には、複数の接点を有する端子１４０が設けられており、プラグ側の端子と電気的に接触するようになっている。端子１４０は、シェル１１０の背面側の開口１１４からシェル１１０内に挿入されており、端子１４０の両側面に形成した腕１４２によってシェル１１０に固定されている。
【００１４】
以上のように、本実施例のメスコネクタ１００は、全体がコンパクトに構成されており、長さはＬＡとなっている。これに対し、従来のメスコネクタ９００は、同図(B)に示すように、シェル９１０の長さがＬＢとなっており、本実施例のメスコネクタ１００のほうが全体的に短く設計されている。
【００１５】
次に、図１に戻って、本実施例では、前記ハウジング本体１２のフレーム１６の開口に、シャッタ機構３００が設けられている。シャッタ機構３００は、いわゆる観音開きの構造となっており、下シャッタ３１０と、上シャッタ３２０を備えている。下シャッタ３１０は、ハウジング本体１２との接続部分に設けた回動軸３１２にその下端が固定されており、上シャッタ３２０は、ハウジング本体１２との接続部分に設けた回動軸３２２にその下端が固定されている。すなわち、下シャッタ３１０と、回動軸３１２と、回動腕３１４は一体に構成されており、全体が一体となって回動する。また、上シャッタ３２０と、回動軸３２２と、回動腕３２４も一体に構成されており、全体が一体となって回動する。
【００１６】
回動腕３１４，３２４の先端側と、ハウジング本体１２ないし外ハウジング１４との間には、付勢バネ３１６，３２６がそれぞれ掛けられている。すなわち、付勢バネ３１６，３２６により、下シャッタ３１０，上シャッタ３２０がいずれも図１に示す閉じた状態となるように付勢されている。
【００１７】
図３には、シャッタ機構３００が開いた状態が示されており、同図(A)は斜視図、同図(B)は同図(A)の＃３−＃３線に沿って矢印方向に見た断面図である。これらの図に示すように、下シャッタ３１０，上シャッタ３２０が開いているときは、回動腕３１４，３２４が、付勢バネ３１６，３２６による付勢力に抗して、回動軸３１２，３２２を中心に回動し、図１に示した状態から図３に示す状態に回動する。
【００１８】
次に、図４も参照しながら、本実施例の作用を説明する。まず、ＵＳＢプラグ４００が接続されていないときは、図１(A)に示した状態である。この状態で、ＵＳＢコネクタ１０にＵＳＢプラグ４００を差し込むと、図４(A)に示すようになる。この状態における断面を示すと、同図(B)ないし(C)に示すようになる。これらの図のように、ＵＳＢプラグ４００のオスコネクタ４１０が、ＵＳＢコネクタ１０のシャッタ機構３００の下シャッタ３１０，上シャッタ３２０を押し開いて、メスコネクタ１００に進入する。これにより、オスコネクタ４１０側の接点（図示せず）と、メスコネクタ１００の端子１４０の接点とが接触し、電気的に接続された状態となる。一方、オスコネクタ４１０の進入に伴って下シャッタ３１０，上シャッタ３２０が回動すると、回動軸３１２，３２２が回動し、更には、回動腕３１４，３２４が、付勢バネ３１６，３２６によるバネ力に抗して回動するようになる。
【００１９】
次に、ＵＳＢコネクタ１０にＵＳＢプラグ４００を差し込んだ状態から、ＵＳＢプラグ４００を抜くと、オスコネクタ４１０側の接点と、メスコネクタ１００の端子１４０の接点との接触が断たれるとともに、付勢バネ３１６，３２６によるバネ力により回動腕３１４，３２４が元の状態に復帰しようとする。このため、回動軸３１２，３２２が逆に回動し、下シャッタ３１０，上シャッタ３２０が逆方向に回動して、図１に示す閉じた状態となる。
【００２０】
以上のように、本実施例によれば、次のような効果が得られる。
ａ，使用していないとき、ＵＳＢコネクタ１０にＵＳＢプラグ４００を差し込んでいないときは、シャッタ機構３００の下シャッタ３１０，上シャッタ３２０が閉まっているため、ほこりその他の異物の侵入を防ぐことができる。
ｂ，シャッタ機構３００の下シャッタ３１０，上シャッタ３２０を観音開きとしたので、ＵＳＢコネクタ１０に対するＵＳＢプラグ４００の差込時の距離が短い。
ｃ，ハウジング本体１２ないし外ハウジング１４やシャッタ機構３００に導電性プラスチック（例えば、電子供与体を付与したポリアセチレン，ポリパラフェニレン，ポリアニリン，ポリチオフェンなど）を使用するなどの方法で導電性を付与することにより、前記下シャッタ３１０，上シャッタ３２０に接触することで静電気が放電されるようになる。このため、高圧の静電気が侵入して端子１４０の接点等が破損するといった不都合が低減される。
ｄ，ＵＳＢコネクタ１０内のメスコネクタ１００を短い構造としたので、シャッタ機構３００があっても、ＵＳＢコネクタ１０の全体の長さが不必要に長くなることがない。
ｅ，ＵＳＢプラグ４００の挿入時は、下シャッタ３１０，上シャッタ３２０が挿入ガイドの役割を果たすため、ＵＳＢプラグ４００の挿入をスムーズに行うことができる。
【００２１】
なお、本発明は、上述した実施例に限定されるものではなく、本発明の要旨を逸脱しない範囲内において種々変更を加えることができる。例えば、以下のものも含まれる。
(1)前記実施例は、本発明をいわゆるタイプＡに対して適用した例であるが、各種のタイプに適用可能である。
(2)前記実施例に示した構造・形状は一例であり、同様の機能を奏するように設計変更可能である。
【産業上の利用可能性】
【００２２】
本発明によれば、観音開きするシャッタを設けることとしたので、ほこりなどの異物の侵入を良好に防ぐことができ、前記シャッタを導電性とすることで、静電気による破損を低減することができる。
【符号の説明】
【００２３】
１０：ＵＳＢコネクタ
１２：ハウジング本体
１４：外ハウジング
１６：フレーム
１００：メスコネクタ
１１０：シェル
１１２：正面側開口
１１４：開口
１２０〜１２８：爪
１３０，１３２：係止片
１４０：端子
１４２：腕
３００：シャッタ機構
３１０：下シャッタ
３２０：上シャッタ
３１２：回動軸
３１２，３２２：回動軸
３１４，３２４：回動腕
３１６，３２６：付勢バネ
３２０：上シャッタ
３２２：回動軸
４００：ＵＳＢプラグ
４１０：オスコネクタ
９００：メスコネクタ
９１０：シェル
【図１】
2020035532.tif 000003
【図２】
2020035532.tif 000004
【図３】
2020035532.tif 000005
【図４】
2020035532.tif 000006
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
ハウジング本体の内部に端子が設けられており、この端子の接点に、差込口から差し込まれたＵＳＢプラグの端子の接点が電気的に接続するＵＳＢコネクタであって、
前記ＵＳＢプラグの差込口に、観音開きするシャッタを備えたシャッタ機構を前記ＵＳＢコネクタに設け、
前記シャッタが閉じて前記ＵＳＢプラグの差込口を塞ぎ、
前記シャッタは前記ＵＳＢプラグにより前記ハウジング本体内に押し込まれて開く
ことを特徴とするＵＳＢコネクタ。
【請求項２】
ハウジング本体の内部に端子が設けられており、この端子の接点に、差込口から差し込まれたＵＳＢプラグの端子の接点が電気的に接続するＵＳＢコネクタであって、
前記ハウジング本体の開口側にフレームが取り付けられ、
このフレームの開口に観音開きするシャッタを備えたシャッタ機構を設け、
前記シャッタが閉じて前記ＵＳＢプラグの差込口を塞ぎ、
前記シャッタは前記ＵＳＢプラグにより前記ハウジング本体内に押し込まれて開く
ことを特徴とするＵＳＢコネクタ。
【請求項３】
ハウジング本体の内部に端子が設けられており、この端子の接点に、差込口から差し込まれたＵＳＢプラグの端子の接点が電気的に接続するＵＳＢコネクタであって、
前記ハウジング本体の開口側にフレームが取り付けられ、
このフレームの開口に観音開きするシャッタを備えたシャッタ機構を設け、
前記シャッタが閉じて前記ＵＳＢプラグの差込口を塞ぎ、
前記シャッタは前記ＵＳＢプラグにより前記ハウジング本体内に押し込まれて開く上シャッタと下シャッタとを有し、
前記ハウジング本体の外側に外ハウジングを取り付け、
前記ＵＳＢコネクタの右側面部に前記下シャッタの回動腕を設け、
前記下シャッタの回動腕と前記ハウジング本体ないし前記外ハウジングとの間に第１の付勢バネが掛けられ、
前記ＵＳＢコネクタの左側面部に前記上シャッタの回動腕を設け、
前記上シャッタの回動腕と前記ハウジング本体ないし前記外ハウジングとの間に第２の付勢バネが掛けられている
ことを特徴とするＵＳＢコネクタ。
【請求項４】
ハウジング本体の内部に端子が設けられており、この端子の接点に、差込口から差し込まれたＵＳＢプラグの端子の接点が電気的に接続するＵＳＢコネクタであって、
前記ハウジング本体の開口側にフレームが取り付けられ、
このフレームの開口に観音開きするシャッタを備えたシャッタ機構を設け、
前記シャッタが閉じて前記ＵＳＢプラグの差込口を塞ぎ、
前記シャッタは前記ＵＳＢプラグにより前記ハウジング本体内に押し込まれて開く上シャッタと下シャッタとを有し、
前記ＵＳＢコネクタの右側面部に前記下シャッタの回動腕を設け、
前記下シャッタの回動腕と前記ハウジング本体との間に第１の付勢バネが掛けられ、
前記ＵＳＢコネクタの左側面部に前記上シャッタの回動腕を設け、
前記上シャッタの回動腕と前記ハウジング本体との間に第２の付勢バネが掛けられている
ことを特徴とするＵＳＢコネクタ。
【手続補正２】
【補正対象書類名】明細書
【補正対象項目名】０００６
【補正方法】変更
【補正の内容】
【０００６】
本発明は、ハウジング本体の内部に端子が設けられており、この端子の接点に、差込口から差し込まれたＵＳＢプラグの端子の接点が電気的に接続するＵＳＢコネクタであって、前記ＵＳＢプラグの差込口に、観音開きするシャッタを備えたシャッタ機構を設けたことを特徴とする。主要な形態の一つによれば、前記シャッタと前記ハウジング本体との間に、前記シャッタが閉じた状態となるように付勢するバネ手段が設けられており、前記ＵＳＢプラグは、前記バネ手段の付勢力に抗して前記シャッタを開いて、前記差込口に差し込まれることを特徴とする。他の形態によれば、前記シャッタに導電性を付与したことを特徴とする。更に他の形態によれば、前記開いたシャッタが、前記差込口から差し込まれたＵＳＢプラグのガイドとして機能することを特徴とする。本発明の前記及び他の目的，特徴，利点は、以下の詳細な説明及び添付図面から明瞭になろう。